(57)【要約】【課題】ボトルを開封したのちに、キャップ本体を紛失することがない封緘リング付キャップを提供する。【解決手段】キャップ１００  の下方の一側面に、キャップ本体１１０  の下端縁部位置から封緘リング１３０  の上端縁部位置にわたる縦長の切欠き部１０１  を設け、切欠き部の上方のキャップ本体と連結帯１２０  との周方向の区分線位置に、切欠き部のキャップの螺脱方向側の隣接位置に接続部１４１  を設け、接続部から切欠き部のキャップの螺着方向側に至る切断可能なスコアライン１５１  を設け、切欠き部の下方の連結帯と封緘リング１３０  との周方向の区分線位置に、切欠き部のキャップの螺着方向側の隣接位置に接続部１４２  を設け、接続部から切欠き部のキャップの螺脱方向側に至る切断可能なスコアライン１５２  を設け、封緘リングの内周面に固定部を設ける。【選択図】図１
2004307006.tif 000002
【特許請求の範囲】
【請求項１】
上方から順にキャップ本体と連結帯と封緘リングとが連なりボトルの口頸部に螺合させて装着するキャップであって、前記キャップの下方の一側面に、前記キャップ本体の下端縁部位置から前記封緘リングの上端縁部位置にわたる縦長の切欠き部を設け、該切欠き部の上方の前記キャップ本体と前記連結帯との周方向の区分線位置に、前記切欠き部の前記キャップの螺脱方向側の隣接位置に接続部を設け、該接続部から前記切欠き部の前記キャップの螺着方向側に至る切断可能なスコアラインを設け、前記切欠き部の下方の前記連結帯と前記封緘リングとの周方向の区分線位置に、前記切欠き部の前記キャップの螺着方向側の隣接位置に接続部を設け、該接続部から前記切欠き部の前記キャップの螺脱方向側に至る切断可能なスコアラインを設け、かつ前記封緘リングの内周面に、前記キャップを螺脱するときに前記封緘リングをボトルの口頸部に固着させる固定部を設けたことを特徴とする封緘リング付キャップ。
【請求項２】
上方から順にキャップ本体と連結帯と封緘リングとが連なりボトルの口頸部に螺合させて装着するキャップであって、前記キャップの下方の一側面に、前記キャップ本体の下端位置から前記封緘リングの上端位置にわたる縦の切れ目線を設け、該切れ目線の上端の前記キャップ本体と前記連結帯との周方向の区分線位置に、前記切れ目線の前記キャップの螺脱方向側の隣接位置に接続部を設け、該接続部から前記切れ目線の前記キャップの螺着方向側に至る切断可能な複数個の薄肉脆弱ブリッジを周方向に設けて接続するスリットラインを設け、前記切れ目線の下端の前記連結帯と前記封緘リングとの周方向の区分線位置に、前記切れ目線の前記キャップの螺着方向側の隣接位置に接続部を設け、該接続部から前記切れ目線の前記キャップの螺脱方向側に至る切断可能な複数の薄肉脆弱ブリッジを周方向に設けて接続するスリットラインを設け、かつ前記封緘リングの内周面に、前記キャップを螺脱するときに前記封緘リングをボトルの口頸部に固着させる固定部を設けたことを特徴とする封緘リング付キャップ。
【請求項３】
上方から順にキャップ本体と連結帯と封緘リングとが連なりボトルの口頸部に螺合させて装着するキャップであって、前記キャップの下方の一側面に、前記キャップの螺着方向側の前記キャップ本体の下端位置から前記キャップの螺脱方向側の前記封緘リングの上端位置へ傾斜する切断可能な斜めの薄肉脆弱線を設け、該斜めの薄肉脆弱線の上端の前記キャップ本体と前記連結帯との周方向の区分線位置に、前記斜めの薄肉脆弱線の前記キャップの螺脱方向側の隣接位置に接続部を設け、該接続部から前記斜めの薄肉脆弱線の前記キャップの螺着方向側に至る切断可能な薄肉脆弱線を設け、前記斜めの薄肉脆弱線の下端の前記連結帯と前記封緘リングとの周方向の区分線位置に、前記斜めの薄肉脆弱線の前記キャップの螺着方向側の隣接位置に接続部を設け、該接続部から前記斜めの薄肉脆弱線の前記キャップの螺脱方向側に至る切断可能な薄肉脆弱線を設け、かつ前記封緘リングの内周面に、前記キャップを螺脱するときに前記封緘リングをボトルの口頸部に固着させる固定部を設けたことを特徴とする封緘リング付キャップ。
【請求項４】
前記封緘リングの内周面に設ける固定部が、周方向に設けた複数個の固定フラップであることを特徴とする請求項１乃至３記載の封緘リング付キャップ。
【請求項５】
前記封緘リングの内周面に設ける固定部が、周方向に設けた複数個のラチェットであることを特徴とする請求項１乃至３記載の封緘リング付キャップ。
【請求項６】
前記封緘リングの内周面に設ける固定部が、周方向に設けた咬合リングであることを特徴とする請求項１乃至３記載の封緘リング付キャップ。
【発明の詳細な説明】
【０００１】
【発明の属する技術分野】
本発明は、液体内容物を充填したプラスチックボトルの口頸部に螺合させて装着するプラスチック製の封緘リング付キャップに関するものである。
【０００２】
【従来の技術】
従来、飲料、調味料などの液体内容物を充填した例えばＰＥＴボトル（ポリエチレンテレフタレートを二軸延伸ブロー成形したボトル）などのプラスチックボトルの口頸部には、流通過程におけるバージン性を確保するために、例えば図６に示すように、キャップ本体（１１０）の周壁（１１２）の下端に、切断可能な複数個の薄肉脆弱ブリッジ（１７３）で封緘リング（１３０）を接続する封緘リング付キャップ（１００）が装着されていた。この封緘リングは、キャップを装着するために螺着方向へ回転するときは、ボトルの口頸部には固定されずに螺着するものであるが、内容物を使用するためにキャップを螺脱方向へ回転してボトルを開封するときには、封緘リングの内周面に設けられている例えば、図５（ａ）に示す固定フラップ（１３１）、図５（ｂ）に示すラチェット（１３２）、図５（ｃ）に示す咬合リング（１３３）などの固定部により、ボトルの口頸部（２１０）に固定されるものである。このため、ボトルの口頸部に装着されたキャップを、ボトルを開封するために指でキャップ本体を掴んで螺脱方向へ回転すると、キャップ本体と封緘リングとを接続している複数個の薄肉脆弱ブリッジが破断されて、キャップ本体は螺脱され、封緘リングはボトル口頸部に残って、ボトルが開封するものであった。
【０００３】
【発明が解決しようとする課題】
しかしながら、上述の従来の封緘リング付キャップは、ボトルを開封するときに、キャップ本体と封緘リングとが分離し、キャップ本体がボトルの口頸部から分離するため、開封後にキャップ本体を紛失することがあった。
【０００４】
本発明は、上述の従来の封緘リング付キャップの問題を解決したものであり、ボトルを開封したのちに、キャップ本体を紛失することがない封緘リング付キャップを提供するものである。
【０００５】
【課題を解決するための手段】
すなわち、本発明の第１の発明は、上方から順にキャップ本体と連結帯と封緘リングとが連なりボトルの口頸部に螺合させて装着するキャップであって、前記キャップの下方の一側面に、前記キャップ本体の下端縁部位置から前記封緘リングの上端縁部位置にわたる縦長の切欠き部を設け、この切欠き部の上方の前記キャップ本体と前記連結帯との周方向の区分線位置に、前記切欠き部の前記キャップの螺脱方向側の隣接位置に接続部を設け、この接続部から前記切欠き部の前記キャップの螺着方向側に至る切断可能なスコアラインを設け、前記切欠き部の下方の前記連結帯と前記封緘リングとの周方向の区分線位置に、前記切欠き部の前記キャップの螺着方向側の隣接位置に接続部を設け、この接続部から前記切欠き部の前記キャップの螺脱方向側に至る切断可能なスコアラインを設け、かつ前記封緘リングの内周面に、前記キャップを螺脱するときに前記封緘リングをボトルの口頸部に固着させる固定部を設けたことを特徴とする封緘リング付キャップである。
【０００６】
次に、本発明の第２の発明は、上方から順にキャップ本体と連結帯と封緘リングとが連なりボトルの口頸部に螺合させて装着するキャップであって、前記キャップの下方の一側面に、前記キャップ本体の下端位置から前記封緘リングの上端位置にわたる縦の切れ目線を設け、この切れ目線の上端の前記キャップ本体と前記連結帯との周方向の区分線位置に、前記切れ目線の前記キャップの螺脱方向側の隣接位置に接続部を設け、この接続部から前記切れ目線の前記キャップの螺着方向側に至る切断可能な複数個の薄肉脆弱ブリッジを周方向に設けて接続するスリットラインを設け、前記切れ目線の下端の前記連結帯と前記封緘リングとの周方向の区分線位置に、前記切れ目線の前記キャップの螺着方向側の隣接位置に接続部を設け、この接続部から前記切れ目線の前記キャップの螺脱方向側に至る切断可能な複数の薄肉脆弱ブリッジを周方向に設けて接続するスリットラインを設け、かつ前記封緘リングの内周面に、前記キャップを螺脱するときに前記封緘リングをボトルの口頸部に固着させる固定部を設けたことを特徴とする封緘リング付キャップである。
【０００７】
次に、本発明の第３の発明は、上方から順にキャップ本体と連結帯と封緘リングとが連なりボトルの口頸部に螺合させて装着するキャップであって、前記キャップの下方の一側面に、前記キャップの螺着方向側の前記キャップ本体の下端位置から前記キャップの螺脱方向側の前記封緘リングの上端位置へ傾斜する切断可能な斜めの薄肉脆弱線を設け、この斜めの薄肉脆弱線の上端の前記キャップ本体と前記連結帯との周方向の区分線位置に、前記斜めの薄肉脆弱線の前記キャップの螺脱方向側の隣接位置に接続部を設け、この接続部から前記斜めの薄肉脆弱線の前記キャップの螺着方向側に至る切断可能な薄肉脆弱線を設け、前記斜めの薄肉脆弱線の下端の前記連結帯と前記封緘リングとの周方向の区分線位置に、前記斜めの薄肉脆弱線の前記キャップの螺着方向側の隣接位置に接続部を設け、この接続部から前記斜めの薄肉脆弱線の前記キャップの螺脱方向側に至る切断可能な薄肉脆弱線を設け、かつ前記封緘リングの内周面に、前記キャップを螺脱するときに前記封緘リングをボトルの口頸部に固着させる固定部を設けたことを特徴とする封緘リング付キャップである。
【０００８】
次に、本発明の第４の発明は、前記封緘リングの内周面に設ける固定部が、周方向に設けた複数個の固定フラップであることを特徴とする第１乃至３の発明に記載の封緘リング付キャップである。
【０００９】
次に、本発明の第５の発明は、前記封緘リングの内周面に設ける固定部が、周方向に設けた複数個のラチェットであることを特徴とする第１乃至３の発明に記載の封緘リング付キャップである。
【００１０】
そして、本発明の第６の発明は、前記封緘リングの内周面に設ける固定部が、周方向に設けた咬合リングであることを特徴とする第１乃至３の発明に記載の封緘リング付キャップである。
【００１１】
【発明の実施の形態】
本発明の封緘リング付キャップは、図１、図３及び図４に示すように、液体内容物を充填するプラスチックボトル（２００）の口頸部（２１０）に螺合されて装着するものであり、上方から順にキャップ本体（１１０）と連結帯（１２０）と封緘リング（１３０）とが連なりキャップである。ボトルを開封するときに、キャップに破断される部分があるため、通常では、低密度ポリエチレンや直鎖状低密度ポリエチレンなどの適度の軟性をもつ熱可塑性樹脂を用いて、射出成形法により作製されるものである。
【００１２】
実施形態１の本発明の封緘リング付キャップ（１００）は、図１に示すように、キャップの下方の一側面に、キャップ本体（１１０）の下端縁部位置から封緘リング（１２０）の上端縁部位置にわたる縦長の切欠き部（１０１）を設け、この切欠き部の上方の両側のキャップ本体と連結帯（１２０）との周方向の区分線位置に、切欠き部のキャップの螺脱方向側の隣接位置に所定巾だけ切断不可能にスコア（ｓｃｏｒｅ，切れ目）ラインを設けない接続部（１４１）を設け、この接続部から切欠き部のキャップの螺着方向側に至る切断可能なスコアライン（１５１）を設け、また、切欠き部の下方の両側の連結帯と封緘リング（１３０）との周方向の区分線位置に、切欠き部のキャップの螺着方向側の隣接位置に所定巾だけ切断不可能にスコアラインを設けない接続部（１４２）を設け、この接続部から切欠き部のキャップの螺脱方向側に至る切断可能なスコアライン（１５２）を設けるものである。スコアラインのスコア間隔は、キャップ本体を螺脱方向へ回転したときに破断するように設定するものである。そして、封緘リングの内周面には、キャップを螺脱するときに封緘リングをボトルの口頸部に固着させる固定部を設けるものである。固定部としては、例えば図５（ａ）に示す固定フラップ（１３１）、図５（ｂ）に示すラチェット（１３２）、図５（ｃ）に示す咬合リング（１３３）などがある。なお、キャップ本体（１１０）の外周面には、図１に示すように、通常、キャップを回転して着脱し易いように縦のローレット目（１１３）を設け、内周面には、ボトルとの雌ネジを設けるものである。また、キャップ本体（１１０）の天板（１１１）の下面には、通常、ボトル（２００）の口頸部（２１０）の口部を封止するための封止リングを設けるものである。
【００１３】
固定フラップ（１３１）は、図５（ａ）に示すように、封緘リング（１３０）の下端部内周面の周方向に等間隔に複数個設けられ、ボトルの口頸部（２１０）に螺着されたとときに、根元部の薄肉部が折れ曲がり、先端がボトルの口頸部に設けられている固定リング（２１２）の水平下面及び口頸部の外周面に係着し、封緘リングがボトルの口頸部に固着されるものである。また、ラチェット（１３２）は、図５（ｂ）に示すように、封緘リング（１３０）の内周面の周方向に等間隔に複数個設けられ、ボトルの口頸部に螺着されたキャップを螺脱方向へ回転したときに、螺脱方向側の垂直面が、ボトルの口頸部（２１０）に設けられているラチェット（２１３）のキャップの螺着方向側の垂直面と当接し、封緘リングがボトルの口頸部に固着されるものである。また、咬合リングは、図５（ｃ）に示すように、封緘リング（１３０）の下端部内周面に設けられ、ボトルの口頸部に螺着されたキャップを螺脱方向へ回転したときに、キャップが上昇して咬合リングのほぼ水平な上面が、ボトルの口頸部（２１０）に設けられている固定リング（２１２）の水平下面に当接し、封緘リングがボトルの口頸部に固着されるものである。
【００１４】
ボトルの口頸部に螺着された上述の実施形態１の封緘リング付キャップは、ボトルを開封するためにキャップ本体の外周面を指で掴んで螺脱方向へ回転すると、キャップ本体の雌ネジとボトルの口頸部の外周に設けられた図２に示す雄ネジ（２１１）との作用によってキャップ本体が回転につれて上昇するが、封緘リングが内周面に設けられた固定部によってボトルの口頸部に固着されているため、図１に示すキャップ本体（１１０）と連結帯（１２０）との周方向の区分線位置に設けられているスコアライン（１５１）と、連結帯と封緘リング（１３０）との周方向の区分線位置に設けられているスコアライン（１５２）とが切断されて、キャップ本体がボトルの口頸部から螺脱したときには、図２に示すように、キャップ本体（１１０）の下端の接続部（１４１）とボトル（２００）の口頸部（２１０）に残る封緘リング（１３０）の上端の接続部（１４２）とに連結帯（１２０）が繋がった状態で一体となっている。このため、キャップ本体を使用中に紛失することがない。
【００１５】
実施形態２の本発明の封緘リング付キャップ（１００）は、図３に示すように、キャップの下方の一側面に、キャップ本体（１１０）の下端位置から封緘リング（１２０）の上端位置にわたる縦の切れ目線（１０２）を設け、この切れ目線の上端のキャップ本体と連結帯（１２０）との周方向の区分線位置に、切れ目線のキャップの螺脱方向側の隣接位置に所定巾だけ切断不可能にスリットラインを設けない接続部（１４１）を設け、この接続部から切れ目線のキャップの螺着方向側に至る切断可能な複数個の薄肉脆弱ブリッジ（１７１）を周方向に設けて接続するスリットライン（１６１）を設け、また、切れ目線の下端の連結帯と封緘リング（１３０）との周方向の区分線位置に、切れ目線のキャップの螺着方向側の隣接位置に所定巾だけ切断不可能にスリットラインを設けない接続部（１４２）を設け、この接続部から切れ目線のキャップの螺脱方向側に至る切断可能な複数個の薄肉脆弱ブリッジ（１７２）を周方向に設けて接続するスリットライン（１６２）を設けるものである。スリットラインに設ける薄肉脆弱ブリッジの間隔は、キャップ本体を螺脱方向へ回転したときに破断するように設定するものである。そして、封緘リングの内周面には、キャップを螺脱するときに封緘リングをボトルの口頸部に固着させる固定部を設けるものである。固定部としては、例えば固定フラップ、ラチェット、咬合リングなどを設けるものである。なお、キャップ本体の外周面には、通常、キャップを回転して着脱し易いように縦のローレット目を設け、内周面には、ボトルとの雌ネジを設けるものである。また、キャップ本体の天板の下面には、通常、ボトルの口頸部の口部を封止するための封止リングを設けるものである。
【００１６】
ボトルの口頸部に螺着された上述の実施形態２の封緘リング付キャップは、ボトルを開封するためにキャップ本体の外周面を指で掴んで螺脱方向へ回転すると、キャップ本体の雌ネジとボトルの口頸部の外周に設けられた雄ネジとの作用によってキャップ本体が回転につれて上昇するが、封緘リングが内周面に設けられた固定部によってボトルの口頸部に固着されているため、図３に示すキャップ本体（１１０）と連結帯（１２０）との周方向の区分線位置に設けられているスリットライン（１６１）の薄肉脆弱ブリッジ（１７１）と、連結帯と封緘リング（１３０）との周方向の区分線位置に設けられているスリットライン（１６２）の薄肉脆弱ブリッジ（１７２）とが切断されて、キャップ本体がボトルの口頸部から螺脱したときには、キャップ本体（１１０）の下端の接続部（１４１）とボトル（２００）の口頸部（２１０）に残る封緘リング（１３０）の上端の接続部（１４２）とに連結帯（１２０）が繋がった状態で一体となっている。このため、キャップ本体を使用中に紛失することがない。
【００１７】
実施形態３の本発明の封緘リング付キャップ（１００）は、図４に示すように、キャップの下方の一側面に、キャップの螺着方向側のキャップ本体（１１０）の下端位置からキャップの螺脱方向側の封緘リング（１３０）の上端位置へ右側へ傾斜する切断可能な斜めの薄肉脆弱線（１０３）を設け、この斜めの薄肉脆弱線の上端のキャップ本体と連結帯（１２０）との周方向の区分線位置に、斜めの薄肉脆弱線のキャップの螺脱方向側の隣接位置に所定巾だけ切断不可能に薄肉脆弱線を設けない接続部（１４１）を設け、この接続部から斜めの薄肉脆弱線のキャップの螺着方向側に至る切断可能な薄肉脆弱線（１８１）を設け、また、斜めの薄肉脆弱線の下端の連結帯と封緘リング（１３０）との周方向の区分線位置に、斜めの薄肉脆弱線のキャップの螺着方向側の隣接位置に所定巾だけ切断不可能に薄肉脆弱線を設けない接続部（１４２）を設け、この接続部から斜めの薄肉脆弱線のキャップの螺脱方向側に至る切断可能な薄肉脆弱線（１８２）を周方向に設けるものである。薄肉脆弱線の肉厚は、キャップ本体を螺脱方向へ回転したときに破断するように設定するものである。そして、封緘リングの内周面には、キャップを螺脱するときに封緘リングをボトルの口頸部に固着させる固定部を設けるものである。固定部としては、例えば固定フラップ、ラチェット、咬合リングなどを設けるものである。なお、キャップ本体の外周面には、通常、キャップを回転して着脱し易いように縦のローレット目を設け、内周面には、ボトルとの雌ネジを設けるものである。また、キャップ本体の天板の下面には、通常、ボトルの口頸部の口部を封止するための封止リングを設けるものである。
【００１８】
ボトルの口頸部に螺着された上述の実施形態３の封緘リング付キャップは、ボトルを開封するためにキャップ本体の外周面を指で掴んで螺脱方向へ回転すると、キャップ本体の雌ネジとボトルの口頸部の外周に設けられた雄ネジとの作用によってキャップ本体が回転につれて上昇するが、封緘リングが内周面に設けられた固定部によってボトルの口頸部に固着されているため、図４に示すキャップ本体（１１０）と連結帯（１２０）との周方向の区分線位置に設けられている薄肉脆弱線（１８１）と、連結帯と封緘リング（１３０）との周方向の区分線位置に設けられている薄肉脆弱線（１８２）とが切断されて、キャップ本体がボトルの口頸部から螺脱したときには、キャップ本体（１１０）の下端の接続部（１４１）とボトル（２００）の口頸部（２１０）に残る封緘リング（１３０）の上端の接続部（１４２）とに連結帯（１２０）が繋がった状態で一体となっている。このため、キャップ本体を使用中に紛失することがない。
【００１９】
【発明の効果】
本発明の封緘リング付キャップは、上方からキャップ本体、連結帯、封緘リングとからなり、ボトルの口頸部に装着された本発明の封緘リング付キャップは、ボトルを開封するために、キャップ本体を螺脱方向へ回転するとキャップ本体をが上昇するが、下端の封緘リングがボトルの口頸部に固着しているため、キャップ本体と連結帯とが又連結帯と封緘リングとが、接続部以外の区分線位置で破断する。ボトルから分離したキャップ本体は、ボトルの口頸部に固着している封緘リングに連結帯で繋がっており、使用中にキャップ本体を紛失するようなことがない。
【図面の簡単な説明】
【図１】ボトルの口頸部に螺着した本発明の実施形態１の封緘リング付キャップの正面図である。
【図２】図１の封緘リング付キャップを、ボトルの口頸部から螺脱したときの状態を示す説明図である。
【図３】ボトルの口頸部に螺着した本発明の実施形態２の封緘リング付キャップの正面図である。
【図４】ボトルの口頸部に螺着した本発明の実施形態３の封緘リング付キャップの正面図である。
【図５】キャップを螺脱するときの封緘リングの固定部の状態を示す説明図であり、（ａ）は、固定フラップで、（ｂ）は、ラチェットであり、（ｃ）は、咬合リングである。
【図６】ボトルの口頸部に螺着した従来の一例の封緘リング付キャップの正面図である。
【符号の説明】
１００……封緘リング付キャップ
１０１……切欠き部
１０２……切れ目
１０３，１８１，１８２……薄肉脆弱線
１１０……キャップ本体
１１１……天板
１１２……周壁
１１３……ローレット目
１２０……連結帯
１３０……封緘リング
１３１……固定フラップ
１３２，２１３……ラチェット
１３３……咬合リング
１４１，１４２……接続部
１５１，１５２……スコアライン
１６１，１６２……スリットライン
１７１，１７２，１７３……薄肉脆弱ブリッジ
２００……ボトル
２１０……口頸部
２１１……雄ネジ
２１２……固定リング
【図１】
2004307006.tif 000003
【図２】
2004307006.tif 000004
【図３】
2004307006.tif 000005
【図４】
2004307006.tif 000006
【図５】
2004307006.tif 000007
【図６】
2004307006.tif 000008